(57)【特許請求の範囲】
【請求項１】
他の部材に取り付けられる取付け片がパイプの外側に突出した状態にパイプに接合された取付け片付パイプであって、
取付け片の基端部に、該取付け片に対して屈曲した基板部が一体に設けられており、
パイプが補強リング内に挿通された状態で、パイプの補強リング内への挿通部分及びその近傍部分のうち少なくとも一方の周壁部がエキスパンド加工されることにより、補強リングがパイプに接合されるとともに、
取付け片の基板部がパイプと補強リングとの間に挟着されることにより、取付け片がパイプに接合されていることを特徴とする取付け片付パイプ。
【請求項２】
補強リングの内周面に、取付け片の基板部が嵌合される嵌合凹部が設けられており、
取付け片の基板部が嵌合凹部内に嵌合された状態でパイプと補強リングとの間に挟着されている請求項１記載の取付け片付パイプ。
【請求項３】
嵌合凹部の深さは、取付け片の基板部の肉厚よりも小さく設定されており、
取付け板の基板部が補強リングの内周面よりも内側にはみ出した状態に嵌合凹部内に嵌合されており、
パイプの周壁部が取付け片の基板部のはみ出し部と周方向に係合している請求項２記載の取付け片付パイプ。
【請求項４】
嵌合凹部の深さは、取付け片の基板部の肉厚よりも大きく設定されており、
取付け板の基板部が補強リングの内周面に対して窪んだ状態に嵌合凹部内に嵌合されており、
パイプの周壁部が補強リングの内周面の窪み部と周方向に係合している請求項２記載の取付け片付パイプ。
【請求項５】
補強リングの外周面における、嵌合凹部とは反対側の部分に、径方向外側に膨出した膨出部が形成されている請求項２〜４のいずれかに記載の取付け片付パイプ。
【請求項６】
パイプの周壁部が補強リングの内周面に設けられた第１係合凹部と周方向に係合している請求項１〜５のいずれかに記載の取付け片付パイプ。
【請求項７】
補強リングの外周面における、第１係合凹部とは反対側の部分に、径方向外側に膨出した膨出部が形成されている請求項６記載の取付け片付パイプ。
【請求項８】
補強リングの内周面に、取付け片の基板部が嵌合される複数個の嵌合凹部が、周方向に並んで設けられており、
取付け片の基板部が、複数個の嵌合凹部のうち少なくとも１個の嵌合凹部を残してその他の嵌合凹部内に嵌合された状態でパイプと補強リングとの間に挟着されており、
パイプの周壁部が残った嵌合凹部と周方向に係合している請求項１記載の取付け片付パイプ。
【請求項９】
嵌合凹部の深さは、取付け片の基板部の肉厚よりも小さく設定されており、
取付け板の基板部が補強リングの内周面よりも内側にはみ出した状態に嵌合凹部内に嵌合されており、
パイプの周壁部が取付け片の基板部のはみ出し部と周方向に係合している請求項８記載の取付け片付パイプ。
【請求項１０】
嵌合凹部の深さは、取付け片の基板部の肉厚よりも大きく設定されており、
取付け板の基板部が補強リングの内周面に対して窪んだ状態に嵌合凹部内に嵌合されており、
パイプの周壁部が補強リングの内周面の窪み部と周方向に係合している請求項８記載の取付け片付パイプ。
【請求項１１】
補強リングの外周面における、嵌合凹部とは反対側の部分に、径方向外側に膨出した膨出部が形成されている請求項８〜１０のいずれかに記載の取付け片付パイプ。
【請求項１２】
パイプの周壁部が補強リングの内周面に設けられた第１係合凸部と周方向に係合している請求項１〜１１のいずれかに記載の取付け片付パイプ。
【請求項１３】
取付け片の基板部が補強リングの内周面に設けられた第２係合凹部と軸方向に係合している請求項１〜１２のいずれかに記載の取付け片付パイプ。
【請求項１４】
取付け片の基板部とパイプの周壁部が第２係合凹部と軸方向に係合している請求項１３記載の取付け片付パイプ。
【請求項１５】
取付け片の基板部が補強リングの内周面に設けられた第２係合凸部と軸方向に係合している請求項１〜１４のいずれかに記載の取付け片付パイプ。
【請求項１６】
取付け片の基板部とパイプの周壁部が第２係合凸部と軸方向に係合している請求項１５記載の取付け片付パイプ。
【請求項１７】
取付け片の基板部の先端部に係止爪が設けられており、
係止爪が補強リングの側縁部に係止されている請求項１〜１６のいずれかに記載の取付け片付パイプ。
【請求項１８】
取付け片に、該取付け片の剛性を高める補強部が形成されている請求項１〜１７のいずれかに記載の取付け片付パイプ。
【請求項１９】
取付け片に、該取付け片を倒れ阻止状態に支持する支持板部が設けられている請求項１〜１８のいずれかに記載の取付け片付パイプ。
【請求項２０】
取付け片が突出方向において捻れた状態に形成されている請求項１〜１９のいずれかに記載の取付け片付パイプ。
【請求項２１】
パイプの周壁部が、取付け片の基板部のパイプとの当接面に設けられた第３係合凸部と係合している請求項１〜２０のいずれかに記載の取付け片付パイプ。
【請求項２２】
パイプの周壁部が、取付け片の基板部のパイプとの当接面に設けられた第３係合凹部と係合している請求項１〜２１のいずれかに記載の取付け片付パイプ。
【請求項２３】
パイプの外周面の断面形状が多角形状であり、
補強リングの内周面の断面形状が、パイプの外周面の断面形状に対応した多角形状である請求項１〜２２のいずれかに記載の取付け片付パイプ。
【請求項２４】
パイプの中空部を縦に仕切る、軸方向に延びた仕切り壁部がパイプに設けられている請求項１〜２３のいずれかに記載の取付け片付パイプ。
【請求項２５】
他の部材に取り付けられる取付け片をパイプの外側に突出した状態にパイプに接合する取付け片付パイプの製造方法であって、
取付け片の基端部に、該取付け片に対して屈曲した基板部が一体に設けられており、
パイプを補強リング内に挿通し且つ取付け片の基板部をパイプと補強リングとの間に配置した状態で、パイプの補強リング内への挿通部分及びその近傍部分のうち少なくとも一方の周壁部をエキスパンド加工することにより、取付け片をパイプに接合することを特徴とする取付け片付パイプの製造方法。
【請求項２６】
補強リングの内周面に、取付け片の基板部が嵌合される嵌合凹部が設けられており、
取付け片の基板部を嵌合凹部内に嵌合した状態でパイプと補強リングとの間に配置し、この状態で、パイプの周壁部をエキスパンド加工する請求項２５記載の取付け片付パイプの製造方法。
【請求項２７】
嵌合凹部の深さは、取付け片の基板部の肉厚よりも小さく設定されており、
取付け板の基板部を補強リングの内周面よりも内側にはみ出させた状態に嵌合凹部内に嵌合する請求項２６記載の取付け片付パイプの製造方法。
【請求項２８】
嵌合凹部の深さは、取付け片の基板部の肉厚よりも大きく設定されており、
取付け板の基板部を補強リングの内周面に対して窪んだ状態に嵌合凹部内に嵌合する請求項２６記載の取付け片付パイプの製造方法。
【請求項２９】
補強リングの外周面における、嵌合凹部とは反対側の部分に、径方向外側に膨出した膨出部が形成されている請求項２６〜２８のいずれかに記載の取付け片付パイプの製造方法。
【請求項３０】
補強リングの内周面に、パイプの周壁部が周方向に係合する第１係合凹部が設けられている請求項２５〜２９のいずれかに記載の取付け片付パイプの製造方法。
【請求項３１】
補強リングの外周面における、第１係合凹部とは反対側の部分に、径方向外側に膨出した膨出部が形成されている請求項３０記載の取付け片付パイプの製造方法。
【請求項３２】
補強リングの内周面に、取付け片の基板部が嵌合される複数個の嵌合凹部が、周方向に並んで設けられており、
取付け片の基板部を、複数個の嵌合凹部のうち少なくとも１個の嵌合凹部を残してその他の嵌合凹部内に嵌合した状態でパイプと補強リングとの間に配置する請求項２５記載の取付け片付パイプの製造方法。
【請求項３３】
嵌合凹部の深さは、取付け片の基板部の肉厚よりも小さく設定されており、
取付け板の基板部を補強リングの内周面よりも内側にはみ出させた状態に嵌合凹部内に嵌合する請求項３２記載の取付け片付パイプの製造方法。
【請求項３４】
嵌合凹部の深さは、取付け片の基板部の肉厚よりも大きく設定されており、
取付け板の基板部を補強リングの内周面に対して窪んだ状態に嵌合凹部内に嵌合する請求項３２記載の取付け片付パイプの製造方法。
【請求項３５】
補強リングの外周面における、嵌合凹部とは反対側の部分に、径方向外側に膨出した膨出部が形成されている請求項３２〜３４のいずれかに記載の取付け片付パイプの製造方法。
【請求項３６】
補強リングの内周面に、パイプの周壁部が周方向に係合する第１係合凸部が設けられている請求項２５〜３５のいずれかに記載の取付け片付パイプの製造方法。
【請求項３７】
補強リングの内周面に、取付け片の基板部が軸方向に係合する第２係合凹部が設けられている請求項２５〜３６のいずれかに記載の取付け片付パイプの製造方法。
【請求項３８】
第２係合凹部は、取付け片と基板部とパイプの周壁部とが軸方向に係合するものである請求項３７記載の取付け片付パイプの製造方法。
【請求項３９】
補強リングの内周面に、取付け片の基板部が軸方向に係合する第２係合凸部が設けられている請求項２５〜３８のいずれかに記載の取付け片付パイプの製造方法。
【請求項４０】
第２係合凸部は、取付け片の基板部とパイプの周壁部とが軸方向に係合するものである請求項３９記載の取付け片付パイプの製造方法。
【請求項４１】
取付け片の基板部の先端部に、補強リングの側縁部に係止する係止爪が設けられている請求項２５〜４０のいずれかに記載の取付け片付パイプの製造方法。
【請求項４２】
取付け片に、該取付け片の剛性を高める補強部が形成されている請求項２５〜４１のいずれかに記載の取付け片付パイプの製造方法。
【請求項４３】
取付け片に、該取付け片を倒れ阻止状態に支持する支持板部が設けられている請求項２５〜４２のいずれかに記載の取付け片付パイプの製造方法。
【請求項４４】
取付け片が突出方向に対して捻れた状態に形成されている請求項２５〜４３のいずれかに記載の取付け片付パイプの製造方法。
【請求項４５】
取付け片の基板部のパイプとの当接面に、パイプの周壁部が係合する第３係合凸部が設けられている請求項２５〜４４のいずれかに記載の取付け片付パイプの製造方法。
【請求項４６】
取付け片の基板部のパイプとの当接面に、パイプの周壁部が係合する第３係合凹部が設けられている請求項２５〜４５のいずれかに記載の取付け片付パイプの製造方法。
【請求項４７】
パイプの外周面の断面形状が多角形状であり、
補強リングの内周面の断面形状が、パイプの外周面の断面形状に対応した多角形状である請求項２５〜４６のいずれかに記載の取付け片付パイプの製造方法。
【請求項４８】
パイプの中空部を縦に仕切る、軸方向に延びた仕切り壁部がパイプに設けられている請求項２５〜４７のいずれかに記載の取付け片付パイプの製造方法。
【請求項４９】
エキスパンド加工を、液圧を圧力媒体とするエキスパンド加工法、ゴムを圧力媒体とするエキスパンド加工法、成形ロールによるエキスパンド加工法又は金型によるエキスパンド加工法により行う請求項２５〜４８のいずれかに記載の取付け片付パイプの製造方法。
【発明の詳細な説明】
【技術分野】
【０００１】
本発明は、他の部材に取り付けられる取付け片がパイプの外側に突出した状態にパイプに接合された取付け片付パイプ及びその製造方法に関する。
【背景技術】
【０００２】
他の部材に取り付けられるフランジをパイプに接合する公知の方法として、例えば、次の二つの文献１及び２に開示された方法が知られている（特許文献１−２参照）。
【０００３】
文献１（特表２００３−５０３６５８号公報））では、フランジ内にパイプを挿通し、次いでパイプをエキスパンド加工することにより、フランジをパイプに接合する方法が開示されている。
【０００４】
文献２（特開平６−１７４１５９号公報）では、フランジの内周縁部を曲げ返してパイプの端部に係止することにより、フランジをパイプに接合する方法が開示されている。
【特許文献１】特表２００３−５０３６５８号公報
【特許文献２】特開平６−１７４１５９号公報
【発明の開示】
【発明が解決しようとする課題】
【０００５】
しかしながら、上記各文献に開示された方法には次の難点があった。
【０００６】
文献１及び２の方法では、いずれもフランジはパイプの全周に亘って形成されたものであるため、フランジ付パイプの重量が増大するという難点があった。さらに、文献２の方法では、フランジのパイプへの接合方法が複雑であるため、製造コストがかかるという難点があった。
【０００７】
本発明は、上述した技術背景に鑑みてなされたもので、その目的は、低コストで製作することができ、また軽量化を図ることができる取付け片付パイプ及びその製造方法を提供することにある。
【課題を解決するための手段】
【０００８】
本発明は以下の手段を提供する。
【０００９】
［１］  他の部材に取り付けられる取付け片がパイプの外側に突出した状態にパイプに接合された取付け片付パイプであって、
取付け片の基端部に、該取付け片に対して屈曲した基板部が一体に設けられており、
パイプが補強リング内に挿通された状態で、パイプの補強リング内への挿通部分及びその近傍部分のうち少なくとも一方の周壁部がエキスパンド加工されることにより、補強リングがパイプに接合されるとともに、
取付け片の基板部がパイプと補強リングとの間に挟着されることにより、取付け片がパイプに接合されていることを特徴とする取付け片付パイプ。
【００１０】
［２］  補強リングの内周面に、取付け片の基板部が嵌合される嵌合凹部が設けられており、
取付け片の基板部が嵌合凹部内に嵌合された状態でパイプと補強リングとの間に挟着されている前項１記載の取付け片付パイプ。
【００１１】
［３］  嵌合凹部の深さは、取付け片の基板部の肉厚よりも小さく設定されており、
取付け板の基板部が補強リングの内周面よりも内側にはみ出した状態に嵌合凹部内に嵌合されており、
パイプの周壁部が取付け片の基板部のはみ出し部と周方向に係合している前項２記載の取付け片付パイプ。
【００１２】
［４］  嵌合凹部の深さは、取付け片の基板部の肉厚よりも大きく設定されており、
取付け板の基板部が補強リングの内周面に対して窪んだ状態に嵌合凹部内に嵌合されており、
パイプの周壁部が補強リングの内周面の窪み部と周方向に係合している前項２記載の取付け片付パイプ。
【００１３】
［５］  補強リングの外周面における、嵌合凹部とは反対側の部分に、径方向外側に膨出した膨出部が形成されている前項２〜４のいずれかに記載の取付け片付パイプ。
【００１４】
［６］  パイプの周壁部が補強リングの内周面に設けられた第１係合凹部と周方向に係合している前項１〜５のいずれかに記載の取付け片付パイプ。
【００１５】
［７］  補強リングの外周面における、第１係合凹部とは反対側の部分に、径方向外側に膨出した膨出部が形成されている前項６記載の取付け片付パイプ。
【００１６】
［８］  補強リングの内周面に、取付け片の基板部が嵌合される複数個の嵌合凹部が、周方向に並んで設けられており、
取付け片の基板部が、複数個の嵌合凹部のうち少なくとも１個の嵌合凹部を残してその他の嵌合凹部内に嵌合された状態でパイプと補強リングとの間に挟着されており、
パイプの周壁部が残った嵌合凹部と周方向に係合している前項１記載の取付け片付パイプ。
【００１７】
［９］  嵌合凹部の深さは、取付け片の基板部の肉厚よりも小さく設定されており、
取付け板の基板部が補強リングの内周面よりも内側にはみ出した状態に嵌合凹部内に嵌合されており、
パイプの周壁部が取付け片の基板部のはみ出し部と周方向に係合している前項８記載の取付け片付パイプ。
【００１８】
［１０］  嵌合凹部の深さは、取付け片の基板部の肉厚よりも大きく設定されており、
取付け板の基板部が補強リングの内周面に対して窪んだ状態に嵌合凹部内に嵌合されており、
パイプの周壁部が補強リングの内周面の窪み部と周方向に係合している前項８記載の取付け片付パイプ。
【００１９】
［１１］  補強リングの外周面における、嵌合凹部とは反対側の部分に、径方向外側に膨出した膨出部が形成されている前項８〜１０のいずれかに記載の取付け片付パイプ。
【００２０】
［１２］  パイプの周壁部が補強リングの内周面に設けられた第１係合凸部と周方向に係合している前項１〜１１のいずれかに記載の取付け片付パイプ。
【００２１】
［１３］  取付け片の基板部が補強リングの内周面に設けられた第２係合凹部と軸方向に係合している前項１〜１２のいずれかに記載の取付け片付パイプ。
【００２２】
［１４］  取付け片の基板部とパイプの周壁部が第２係合凹部と軸方向に係合している前項１３記載の取付け片付パイプ。
【００２３】
［１５］  取付け片の基板部が補強リングの内周面に設けられた第２係合凸部と軸方向に係合している前項１〜１４のいずれかに記載の取付け片付パイプ。
【００２４】
［１６］  取付け片の基板部とパイプの周壁部が第２係合凸部と軸方向に係合している前項１５記載の取付け片付パイプ。
【００２５】
［１７］  取付け片の基板部の先端部に係止爪が設けられており、
係止爪が補強リングの側縁部に係止されている前項１〜１６のいずれかに記載の取付け片付パイプ。
【００２６】
［１８］  取付け片に、該取付け片の剛性を高める補強部が形成されている前項１〜１７のいずれかに記載の取付け片付パイプ。
【００２７】
［１９］  取付け片に、該取付け片を倒れ阻止状態に支持する支持板部が設けられている前項１〜１８のいずれかに記載の取付け片付パイプ。
【００２８】
［２０］  取付け片が突出方向において捻れた状態に形成されている前項１〜１９のいずれかに記載の取付け片付パイプ。
【００２９】
［２１］  パイプの周壁部が、取付け片の基板部のパイプとの当接面に設けられた第３係合凸部と係合している前項１〜２０のいずれかに記載の取付け片付パイプ。
【００３０】
［２２］  パイプの周壁部が、取付け片の基板部のパイプとの当接面に設けられた第３係合凹部と係合している前項１〜２１のいずれかに記載の取付け片付パイプ。
【００３１】
［２３］  パイプの外周面の断面形状が多角形状であり、
補強リングの内周面の断面形状が、パイプの外周面の断面形状に対応した多角形状である前項１〜２２のいずれかに記載の取付け片付パイプ。
【００３２】
［２４］  パイプの中空部を縦に仕切る、軸方向に延びた仕切り壁部がパイプに設けられている前項１〜２３のいずれかに記載の取付け片付パイプ。
【００３３】
［２５］  他の部材に取り付けられる取付け片をパイプの外側に突出した状態にパイプに接合する取付け片付パイプの製造方法であって、
取付け片の基端部に、該取付け片に対して屈曲した基板部が一体に設けられており、
パイプを補強リング内に挿通し且つ取付け片の基板部をパイプと補強リングとの間に配置した状態で、パイプの補強リング内への挿通部分及びその近傍部分のうち少なくとも一方の周壁部をエキスパンド加工することにより、取付け片をパイプに接合することを特徴とする取付け片付パイプの製造方法。
【００３４】
［２６］  補強リングの内周面に、取付け片の基板部が嵌合される嵌合凹部が設けられており、
取付け片の基板部を嵌合凹部内に嵌合した状態でパイプと補強リングとの間に配置し、この状態で、パイプの周壁部をエキスパンド加工する前項２５記載の取付け片付パイプの製造方法。
【００３５】
［２７］  嵌合凹部の深さは、取付け片の基板部の肉厚よりも小さく設定されており、
取付け板の基板部を補強リングの内周面よりも内側にはみ出させた状態に嵌合凹部内に嵌合する前項２６記載の取付け片付パイプの製造方法。
【００３６】
［２８］  嵌合凹部の深さは、取付け片の基板部の肉厚よりも大きく設定されており、
取付け板の基板部を補強リングの内周面に対して窪んだ状態に嵌合凹部内に嵌合する前項２６記載の取付け片付パイプの製造方法。
【００３７】
［２９］  補強リングの外周面における、嵌合凹部とは反対側の部分に、径方向外側に膨出した膨出部が形成されている前項２６〜２８のいずれかに記載の取付け片付パイプの製造方法。
【００３８】
［３０］  補強リングの内周面に、パイプの周壁部が周方向に係合する第１係合凹部が設けられている前項２５〜２９のいずれかに記載の取付け片付パイプの製造方法。
【００３９】
［３１］  補強リングの外周面における、第１係合凹部とは反対側の部分に、径方向外側に膨出した膨出部が形成されている前項３０記載の取付け片付パイプの製造方法。
【００４０】
［３２］  補強リングの内周面に、取付け片の基板部が嵌合される複数個の嵌合凹部が、周方向に並んで設けられており、
取付け片の基板部を、複数個の嵌合凹部のうち少なくとも１個の嵌合凹部を残してその他の嵌合凹部内に嵌合した状態でパイプと補強リングとの間に配置する前項２５記載の取付け片付パイプの製造方法。
【００４１】
［３３］  嵌合凹部の深さは、取付け片の基板部の肉厚よりも小さく設定されており、
取付け板の基板部を補強リングの内周面よりも内側にはみ出させた状態に嵌合凹部内に嵌合する前項３２記載の取付け片付パイプの製造方法。
【００４２】
［３４］  嵌合凹部の深さは、取付け片の基板部の肉厚よりも大きく設定されており、
取付け板の基板部を補強リングの内周面に対して窪んだ状態に嵌合凹部内に嵌合する前項３２記載の取付け片付パイプの製造方法。
【００４３】
［３５］  補強リングの外周面における、嵌合凹部とは反対側の部分に、径方向外側に膨出した膨出部が形成されている前項３２〜３４のいずれかに記載の取付け片付パイプの製造方法。
【００４４】
［３６］  補強リングの内周面に、パイプの周壁部が周方向に係合する第１係合凸部が設けられている前項２５〜３５のいずれかに記載の取付け片付パイプの製造方法。
【００４５】
［３７］  補強リングの内周面に、取付け片の基板部が軸方向に係合する第２係合凹部が設けられている前項２５〜３６のいずれかに記載の取付け片付パイプの製造方法。
【００４６】
［３８］  第２係合凹部は、取付け片と基板部とパイプの周壁部とが軸方向に係合するものである前項３７記載の取付け片付パイプの製造方法。
【００４７】
［３９］  補強リングの内周面に、取付け片の基板部が軸方向に係合する第２係合凸部が設けられている前項２５〜３８のいずれかに記載の取付け片付パイプの製造方法。
【００４８】
［４０］  第２係合凸部は、取付け片の基板部とパイプの周壁部とが軸方向に係合するものである前項３９記載の取付け片付パイプの製造方法。
【００４９】
［４１］  取付け片の基板部の先端部に、補強リングの側縁部に係止する係止爪が設けられている前項２５〜４０のいずれかに記載の取付け片付パイプの製造方法。
【００５０】
［４２］  取付け片に、該取付け片の剛性を高める補強部が形成されている前項２５〜４１のいずれかに記載の取付け片付パイプの製造方法。
【００５１】
［４３］  取付け片に、該取付け片を倒れ阻止状態に支持する支持板部が設けられている前項２５〜４２のいずれかに記載の取付け片付パイプの製造方法。
【００５２】
［４４］  取付け片が突出方向に対して捻れた状態に形成されている前項２５〜４３のいずれかに記載の取付け片付パイプの製造方法。
【００５３】
［４５］  取付け片の基板部のパイプとの当接面に、パイプの周壁部が係合する第３係合凸部が設けられている前項２５〜４４のいずれかに記載の取付け片付パイプの製造方法。
【００５４】
［４６］  取付け片の基板部のパイプとの当接面に、パイプの周壁部が係合する第３係合凹部が設けられている前項２５〜４５のいずれかに記載の取付け片付パイプの製造方法。
【００５５】
［４７］  パイプの外周面の断面形状が多角形状であり、
補強リングの内周面の断面形状が、パイプの外周面の断面形状に対応した多角形状である前項２５〜４６のいずれかに記載の取付け片付パイプの製造方法。
【００５６】
［４８］  パイプの中空部を縦に仕切る、軸方向に延びた仕切り壁部がパイプに設けられている前項２５〜４７のいずれかに記載の取付け片付パイプの製造方法。
【００５７】
［４９］  エキスパンド加工を、液圧を圧力媒体とするエキスパンド加工法、ゴムを圧力媒体とするエキスパンド加工法、成形ロールによるエキスパンド加工法又は金型によるエキスパンド加工法により行う前項２５〜４８のいずれかに記載の取付け片付パイプの製造方法。
【発明の効果】
【００５８】
本発明は以下の効果を奏する。
【００５９】
［１］の発明では、エキスパンド加工時にパイプを補強リングによって補強することができる。さらに、取付け片のパイプへの接合作業を容易に行うことができ、もって低コストで取付け片付パイプを製造できる。
【００６０】
さらに、パイプに接合する取付け片の個数や取付け片の幅を、必要に応じて任意に選択又は決定することができるので、取付け片付パイプの軽量化を図ることができる。
【００６１】
［２］の発明では、 取付け片の基板部が嵌合凹部内に嵌合された状態でパイプと補強リングとの間に挟着されているので、パイプの周方向における取付け片の位置ずれを確実に防止できる。
【００６２】
［３］の発明では、パイプの周壁部が取付け片の基板部のはみ出し部と周方向に係合しているので、パイプの周方向の荷重に対する取付け片の接合強度を増大できる。
【００６３】
［４］の発明では、パイプの周壁部が補強リングの内周面の窪み部と周方向に係合しているので、パイプの周方向の荷重に対する補強リングの接合強度を増大できる。
【００６４】
［５］の発明では、補強リングの外周面における、嵌合凹部とは反対側の部分に、径方向外側に膨出した膨出部が形成されているので、補強リングの嵌合凹部の位置における強度を向上させることができる。
【００６５】
［６］の発明では、パイプの周壁部が補強リングの内周面に設けられた第１係合凹部と周方向に係合しているので、パイプの周方向の荷重に対する補強リングの接合強度を増大できる。
【００６６】
［７］の発明では、補強リングの外周面における、第１係合凹部とは反対側の部分に、径方向外側に膨出した膨出部が形成されているので、補強リングの第１係合凹部の位置における強度を向上させることができる。
【００６７】
［８］の発明では、取付け片の基板部が、複数個の嵌合凹部のうち少なくとも１個の嵌合凹部を残してその他の嵌合凹部内に嵌合された状態でパイプと補強リングとの間に挟着されているので、パイプの周方向における取付け片の位置ずれを確実に防止できる。
【００６８】
さらに、パイプの周壁部が残った嵌合凹部と周方向に係合しているので、パイプの周方向の荷重に対する補強リングの接合強度を増大できる。
【００６９】
さらに、補強リングの複数個の嵌合凹部のなかから、所望する位置の嵌合凹部を選択することができるし、補強リングの共通化を図ることができる。
【００７０】
［９］の発明では、パイプの周壁部が取付け片の基板部のはみ出し部と周方向に係合しているので、パイプの周方向の荷重に対する取付け片の接合強度を増大できる。
【００７１】
［１０］の発明では、パイプの周壁部が補強リングの内周面の窪み部と周方向に係合しているので、パイプの周方向の荷重に対する補強リングの接合強度を増大できる。
【００７２】
［１１］の発明では、補強リングの外周面における、嵌合凹部とは反対側の部分に、径方向外側に膨出した膨出部が形成されているので、補強リングの嵌合凹部の位置における強度を向上させることができる。
【００７３】
［１２］の発明では、パイプの周壁部が補強リングの内周面に設けられた第１係合凸部と周方向に係合しているので、パイプの周方向の荷重に対する補強リングの接合強度を増大できる。
【００７４】
［１３］の発明では、取付け片の基板部が補強リングの内周面に設けられた第２係合凹部と軸方向に係合しているので、取付け片の基板部がパイプと補強リングとの間から抜出する不具合を確実に防止できる。
【００７５】
［１４］の発明では、取付け片の基板部とパイプの周壁部が第２係合凹部と軸方向に係合しているので、取付け片の基板部がパイプと補強リングとの間から抜出する不具合を確実に防止できる上、更に、パイプの軸方向の荷重に対する取付け片の接合強度と補強リングの接合強度とを共に増大できる。
【００７６】
［１５］の発明では、取付け片の基板部が補強リングの内周面に設けられた第２係合凸部と軸方向に係合しているので、取付け片の基板部がパイプと補強リングとの間から抜出する不具合を確実に防止できる。
【００７７】
［１６］の発明では、取付け片の基板部とパイプの周壁部が第２係合凸部と軸方向に係合しているので、取付け片の基板部がパイプと補強リングとの間から抜出する不具合を確実に防止できる上、更に、パイプの軸方向の荷重に対する取付け片の接合強度と補強リングの接合強度とを共に増大できる。
【００７８】
［１７］の発明では、取付け片の基板部の先端部に係止爪が設けられており、係止爪が補強リングの側縁部に係止されているので、取付け片の基板部がパイプと補強リングとの間から抜出する不具合を確実に防止できる。
【００７９】
［１８］の発明では、取付け片の剛性を補強部（例：補強ビード、補強リブ）によって高めることができる。
【００８０】
［１９］の発明では、取付け片の倒れを支持板部によって防止できる。
【００８１】
［２０］の発明では、取付け片の向きを変更できる。
【００８２】
［２１］の発明では、パイプの周壁部が、取付け片の基板部のパイプとの当接面に設けられた第３係合凸部と係合しているので、取付け片の接合強度を増大できる。
【００８３】
［２２］の発明では、パイプの周壁部が、取付け片の基板部のパイプとの当接面に設けられた第３係合凹部と係合しているので、取付け片の接合強度を増大できる。
【００８４】
［２３］の発明では、補強リングがパイプの周方向に回転する不具合を確実に防止できる。
【００８５】
［２４］の発明では、パイプが仕切り壁部によって補強されるため、取付け片付パイプの剛性を向上させることができる。
【００８６】
［２５］〜［４８］の発明は、それぞれ、上記［１］〜［２４］の発明の効果と同じ効果を奏する。
【００８７】
［４９］の発明では、エキスパンド加工を確実に行うことができる。
【発明を実施するための最良の形態】
【００８８】
次に、本発明の幾つかの好ましい実施形態について図面を参照して以下に説明する。
【００８９】
図１〜図７は、本発明の第１実施形態を説明するための図である。本第１実施形態に係る取付け片付パイプ（Ｐ１）は、図１に示すように、補強リング（１０）と、少なくとも１個の取付け片（２０）とを有している。補強リング（１０）は、パイプ（詳述するとパイプ本体）（１）を補強するものである。取付け片（２０）は、他の部材（図示せず）に取り付けられるものである。本第１実施形態では、図２に示すように取付け片（２０）の個数は複数個であり、詳述すると８個である。
【００９０】
パイプ（１）は、丸パイプであり、即ちこのパイプ（１）の内周面及び外周面の断面形状は、それぞれ円形状である。
【００９１】
このパイプ（１）は、組成変形可能な材料からなり、詳述すると金属製であり、更に詳述するとアルミニウム又はアルミニウム合金製である。
【００９２】
ただし本発明では、パイプ（１）の材料がアルミニウム又はアルミニウム合金であることに限定されない。パイプ（１）の材料として、その他に、例えば、鋼材、マグネシウム合金、樹脂（プラスチックを含む）等が用いられる。
【００９３】
パイプ（１）の長さは、例えば２００〜１５００ｍｍの範囲に設定されている。パイプ（１）の外径は、例えば２５〜１００ｍｍの範囲に設定されている。パイプ（１）の肉厚は、例えば２〜５ｍｍの範囲に設定されている。ただし本発明では、パイプ（１）の長さ、外径及び肉厚はそれぞれ上記の範囲であることに限定されない。
【００９４】
補強リング（１０）は、短筒状であり、詳述すると短円筒状であり、即ちこの補強リング（１０）の内周面及び外周面の断面形状は、基本的にはそれぞれ円形状である。したがって、この補強リング（１０）の内周面の断面形状は、パイプ（１）の外周面の断面形状に対応した形状である。
【００９５】
補強リング（１０）は、ヤング率が高く且つ密度が小さい材料からなることが、取付け片付パイプ（Ｐ１）の軽量化を図れる点で望ましい。本第実施形態では、補強リング（１０）は金属製であり、詳述するとアルミニウム又はアルミニウム合金製である。特に、補強リング（１０）は、アルミニウム又はアルミニウム合金の押出材からなることが、補強リング（１０）を能率良く且つコスト的に有利に製作できる点で望ましい。
【００９６】
ただし本発明では、補強リング（１０）の材料がアルミニウム又はアルミニウム合金であることに限定されない。補強リング（１０）の材料として、その他に、例えば、鋼材、マグネシウム合金、樹脂（プラスチックを含む）、複合樹脂（例：炭素繊維強化プラスチック、ＦＲＰ樹脂）等が用いられる。
【００９７】
補強リング（１０）の肉厚は、パイプ（１）のエキスパンド加工時に補強リング（１０）に加わる荷重に耐え得る肉厚に設定されている。この補強リング（１０）のサイズを具体的に例示すると、次のとおりである。
【００９８】
補強リング（１０）の幅（即ち、補強リング（１０）の軸方向の長さ）は、例えば５〜２０ｍｍの範囲に設定されている。補強リング（１０）の内径は、パイプ（１）の外径に対して１．００５〜１．０２倍の範囲に設定されている。補強リング（１０）の肉厚は、例えば２〜１０ｍｍの範囲に設定されている。ただし本発明では、補強リング（１０）の幅、内径及び肉厚はそれぞれ上記の範囲であることに限定されない。
【００９９】
８個の取付け片（２０）は、図１及び図２に示すように、パイプ（１）の外側において該パイプ（１）の径方向外向きに突出した状態に、パイプ（１）の周方向に等間隔に並んでパイプ（１）に接合されている。これらの取付け片（２０）は互いに同一形状である。なお、（２０ａ）は、取付け片（２０）の先端部に設けられた取付け孔であり、本第１実施形態ではこの取付け孔（２０ａ）は例えばボルト挿通孔からなる。
【０１００】
取付け片（２０）は、平面視略長方形状のものである。図６に示すように、取付け片（２０）の基端部には、該取付け片（２０）に対して略直角（直角）をなして屈曲した基板部（２１）が一体形成されている。したがって、基板部（２１）は、取付け片（２０）に対して断面略Ｌ字状（Ｌ字状）になるように取付け片（２０）の基端部に一体形成されている。
【０１０１】
取付け片（２０）は、金属製であり、詳述するとアルミニウム又はアルミニウム合金製である。
【０１０２】
ただし本発明では、取付け片（２０）の材料がアルミニウム又はアルミニウム合金であることに限定されない。取付け片（２０）の材料として、その他に、例えば、鋼材、マグネシウム合金、樹脂（プラスチックを含む）等が用いられる。また本発明では、取付け片（２０）と基板部（２１）との間の角度が略直角（直角）であることに限定されるものではなく、その他に、例えば１０〜８０°の範囲内に設定される。
【０１０３】
本第１実施形態では、取付け片（２０）はプレス成形により製作されたものであり、即ち一枚の板材をプレス成形することにより製作されたものである。
【０１０４】
ただし本発明では、取付け片（２０）はプレス成形により製作されたものであることに限定されるものではなく、その他に、例えば、押出加工により製作されたものであっても良いし、ダイカストにより製作されたものであっても良い。
【０１０５】
取付け片（２０）と基板部（２１）の肉厚は、互いに同寸であり、例えば２〜５ｍｍの範囲に設定されている。取付け片（２０）の長さ（即ち、取付け片（２０）の突出方向の長さ）は、例えば３０〜１００ｍｍの範囲に設定されている。基板部（２１）の長さ（即ち、基板部（２１）のパイプ（１）軸方向の長さ）は、例えば５〜２０ｍｍの範囲に設定されている。取付け片（２０）の幅（即ち、取付け片（２０）のパイプ（１）周方向の長さ）は、パイプ（１）の外周長さよりも小さく設定されており、詳述するとパイプ（１）の外周長さの半分の長さ未満に設定されており、例えば１０〜３０ｍｍの範囲に設定されている。また、基板部（２１）の幅（即ち、基板部（２１）のパイプ（１）周方向の長さ）は、パイプ（１）の外周長さよりも小さく設定されており、詳述するとパイプ（１）の外周長さの半分の長さ未満に設定されており、例えば１０〜３０ｍｍの範囲に設定されている。ただし本発明では、取付け片（２０）と基板部（２１）の肉厚、取付け片（２０）の長さ、基板部（２１）の長さ、取付け片（２０）の幅、及び、基板部（２１）の幅は、それぞれ上記の範囲であることに限定されない。
【０１０６】
この取付け片付パイプ（Ｐ１）の構成を簡単に説明すると次のとおりである。
【０１０７】
すなわち、この取付け片付パイプ（Ｐ１）では、図１〜図５に示すように、パイプ（１）は補強リング（１０）内に挿通されている。そして、この状態で、図２〜図５に示すように、パイプ（１）の補強リング（１０）内への挿通部分の周壁部（２ａ）と該挿通部分の軸方向両側近傍部分の周壁部（２ｂ）（２ｂ）とが、エキスパンド加工予定部（２）として、それぞれエキスパンド加工されることによって、補強リング（１０）の内周面にパイプ（１）の少なくとも周壁部（２ａ）が圧接される結果、補強リング（１０）がパイプ（１）に接合されている。さらに、８個の取付け片（２０）の基板部（２１）が、パイプ（１）の周方向に等間隔に並んでパイプ（１）と補強リング（１０）との間に挟着されることにより、取付け片（２０）がパイプ（１）に接合されている。
【０１０８】
この取付け片付パイプ（Ｐ１）の構成を詳細に説明すると次のとおりである。
【０１０９】
取付け片（２０）の基板部（２１）は、図３及び図６に示すように、パイプ（１）の外周面に対応して湾曲している。これにより、取付け片（２０）の基板部（２１）のパイプ（１）との当接面（２１ｂ）は、パイプ（１）の外周面に対応した曲面に形成されて、パイプ（１）の外周面に面接触状態に当接している。また、取付け片（２０）の基板部（２１）の当接面（２１ａ）とは反対側の面についても曲面に形成されている。
【０１１０】
また、図４及び図６に示すように、取付け片（２０）の基板部（２１）の先端部には、取付け片（２０）の基板部（２１）がパイプ（１）と補強リング（１０）との間から抜出する不具合を防止するための、基板部（２１）に対して略直角（直角）をなして屈曲した係止爪（２２）が一体形成されている。そして、この係止爪（２２）は、図４に示すように、取付け片（２０）の基板部（２１）がパイプ（１）と補強リング（１０）との間に挟着された状態で、補強リング（１０）の軸方向両側の側縁部のうち一方の側縁部に係止されている。
【０１１１】
補強リング（１０）の内周面には、図２及び図３に示すように、各取付け片（２０）の基板部（２１）が嵌合される、軸方向に延びた８個の嵌合凹部（１１）が、周方向に等間隔に並んで設けられている。嵌合凹部（１１）の断面形状は略コ字状（コ字状）である。嵌合凹部（１１）の底面は、取付け片（２０）の基板部（２１）のパイプ（１）との当接面（２１ｂ）とは反対側の面に対応した曲面に形成されている。また、嵌合凹部（１１）の幅（即ち、嵌合凹部（１１）の補強リング（１０）周方向の長さ）は、取付け片（２０）の基板部（２１）の幅に対応した幅に設定されている。そして、取付け片（２０）の基板部（２１）が、この嵌合凹部（１１）内に幅方向において適合状態に嵌合された状態でパイプ（１）と補強リング（１０）との間に挟着されている。
【０１１２】
さらに、図３に示すように、嵌合凹部（１１）の深さｄは、取付け片（２０）の基板部（２１）の肉厚ｔよりも小さく設定されている（即ち、ｄ＜ｔ）。そして、取付け片（２０）の基板部（２１）が補強リング（１０）の内周面よりも内側（即ちパイプ（１）側）にはみ出した状態にこの嵌合凹部（１１）内に嵌合されている。（２１ａ）は、補強リング（１０）の内周面よりも内側にはみ出した、取付け片（２０）の基板部（２１）のはみ出し部である。さらに、パイプ（１）の周壁部（２ａ）が取付け片（２０）の基板部（２１）のはみ出し部（２１ａ）と周方向に係合している。このはみ出し部（２１ａ）のはみ出し高さは例えば１〜４ｍｍの範囲に設定されている。ただし本発明では、はみ出し高さは上記の範囲であることに限定されるものではない。
【０１１３】
また、補強リング（１０）の外周面における、嵌合凹部（１１）とは反対側の部分には、補強リング（１０）の肉厚が周方向に略一定（一定）になるように、径方向外側に膨出した膨出部（１２）が一体形成されている。この膨出部（１２）の膨出高さｈは、嵌合凹部（１１）の深さｄと同じである（即ち、ｈ＝ｄ）。
【０１１４】
次に、この取付け片付パイプ（Ｐ１）の製造方法について以下に説明する。
【０１１５】
まず、パイプ（１）を補強リング（１０）内に挿通するとともに、補強リング（１０）の各嵌合凹部（１１）内に取付け片（２０）の基板部（２１）を１個ずつ嵌合した状態で、８個の取付け片（２０）の基板部（２１）をパイプ（１）と補強リング（１０）との間に周方向に等間隔に並べて配置する（挟む）。この状態において、各取付け片（２０）の基板部（２１）は補強リング（１０）の内周面よりも内側にはみ出した状態に嵌合凹部（１１）内に嵌合されている。さらに、取付け片（２０）の基板部（２１）の係止爪（２２）を補強リング（１０）の側縁部に係止する。
【０１１６】
次いで、図７に示すように、パイプ（１）の補強リング（１０）内への挿通部分の周壁部（２ａ）と該挿通部分の軸方向両側近傍部分の周壁部（２ｂ）（２ｂ）とを、例えば、液圧を圧力媒体とするエキスパンド加工法によって、同時にエキスパンド加工する。これにより、パイプ（１）のエキスパンド加工予定部（２）としての周壁部（２ａ）（２ｂ）（２ｂ）が径方向外側へ拡がるように塑性変形される結果、補強リング（１０）がパイプ（１）に接合されるとともに、取付け片（２０）の基板部（２１）がパイプ（１）と補強リング（１０）との間に挟着されることで、取付け片（２０）がパイプ（１）に接合される。さらに、このエキスパンド加工によって、図２及び図３に示すように、パイプ（１）の補強リング（１０）内への挿通部分の周壁部（２ａ）が、取付け片（２０）の基板部（２１）のはみ出し部（２１ａ）と該はみ出し部（２１ａ）の周方向両側における補強リング（１０）の内周面との間の段部に向かって膨出し、これにより、パイプ（１）の周壁部（２ａ）がはみ出し部（２１ａ）と周方向に係合する。
【０１１７】
本第１実施形態で用いた、液圧を圧力媒体とするエキスパンド加工法（液圧拡管法とも呼ばれる）は、公知の方法であり、この加工法を簡単に説明すると次のとおりである。
【０１１８】
まず、図７に示すように、パイプ（１）の周壁部全体のうち、エキスパンド加工予定部（２）以外の部位、即ちパイプ（１）のエキスパンド加工しない部位（非エキスパンド加工部）を、その外側からエキスパンド加工装置（３０）の拘束金型（３１）（３１）で拘束する。また、パイプ（１）の両端をシール具（図示せず）で液密状態にシールするとともに、パイプ（１）の内部に圧力媒体として水等の液を注入する。次いで、この状態で、液に圧力（Ｐ）を加えることによって、パイプ（１）のエキスパンド加工予定部（２）を径方向外側に拡管（膨出）する。このようにしてエキスパンド加工が行われる。なお、図７において（Ｑ）は、パイプ（１）の中心軸である。
【０１１９】
ここで本発明では、エキスパンド加工法は、パイプ（１）のエキスパンド加工予定部（２）をエキスパンド加工する方法であれば、上述した液圧を圧力媒体とするエキスパンド加工法であることに限定されるものではなく、その他に、例えば、ゴムを圧力媒体とするエキスパンド加工法（ゴム拡管法とも呼ばれる）、成形ロールによるエキスパンド加工法、金型によるエキスパンド加工法であっても良い。
【０１２０】
なお、その他のエキスパンド加工法もまた、いずれも公知の方法であり、この加工法を簡単に説明すると次のとおりである。
【０１２１】
ゴムを圧力媒体とするエキスパンド加工法とは、上述した液圧を圧力媒体とするエキスパンド加工法における圧力媒体として水等の液の代わりにゴムを用いた方法である。
【０１２２】
成形ロールによるエキスパンド加工法とは、パイプ（１）の内部に配置された複数個のロール（成形ロール）をパイプ（１）の半径方向外向きに移動させることにより、パイプ（１）のエキスパンド加工予定部（２）をエキスパンド加工する方法である。
【０１２３】
金型によるエキスパンド加工法とは、パイプ（１）の内部に配置された複数個に分割された金型をパイプ（１）の半径方向外向きに移動させることにより、パイプ（１）のエキスパンド加工予定部（２）をエキスパンド加工する方法である。
【０１２４】
以上の手順により、図１に示した所望する取付け片付パイプ（Ｐ１）を製作できる。
【０１２５】
この取付け片付パイプ（Ｐ１）を他の部材に連結する方法は次のとおりである。すなわち、取付け片（２０）の先端部の取付け孔（ボルト挿通孔）（２０ａ）と他の部材のボルト挿通孔（図示せず）とに締結具としてボルト（図示せず）を挿通する。そして、このボルトにナット（図示せず）を螺合させることにより、パイプ（１）が取付け片（２０）を介して他の部材に連結される。
【０１２６】
而して、この取付け片付パイプ（Ｐ１）には、次の利点がある。
【０１２７】
すなわち、パイプ（１）が補強リング（１０）内に挿通された状態で、パイプ（１）の補強リング（１０）内への挿通部分の周壁部（２ａ）及び該挿通部分の軸方向両側近傍部分の周壁部（２ｂ）（２ｂ）がエキスパンド加工されることにより、補強リング（１０）がパイプ（１）に接合されている。したがって、エキスパンド加工時にパイプ（１）を補強リング（１０）によって補強することができる。
【０１２８】
さらに、取付け片（２０）の基板部（２１）がパイプ（１）と補強リング（１０）との間に挟着されることにより、取付け片（２０）がパイプ（１）に接合されている。したがって、エキスパンド加工の際に、予め、取付け片（２０）の基板部（２１）をパイプ（１）と補強リング（１０）との間に配置しておき、この状態で、パイプ（１）の周壁部（２ａ）（２ｂ）（２ｂ）をエキスパンド加工することにより、取付け片（２０）をパイプ（１）に接合することができる。そのため、取付け片（２０）のパイプ（１）への接合作業を容易に行うことができ、もって低コストで取付け片付パイプ（Ｐ１）を製造できる。
【０１２９】
さらに、後述するようにパイプ（１）に接合する取付け片（２０）の個数や取付け片（２０）の幅を、必要に応じて任意に選択又は決定することができるので、取付け片付パイプ（Ｐ１）の軽量化を図ることができる。
【０１３０】
また、取付け片（２０）の基板部（２１）は、補強リング（１０）の嵌合凹部（１１）内に嵌合された状態でパイプ（１）と補強リング（１０）との間に挟着されているので、パイプ（１）の周方向における取付け片（２０）の位置ずれを確実に防止できる。
【０１３１】
また、嵌合凹部（１１）の深さｄは、取付け片（２０）の基板部（２１）の肉厚ｔよりも小さく設定されており、パイプ（１）の周壁部（２ａ）が取付け片（２０）の基板部（２１）のはみ出し部（２１ａ）と周方向に係合しているので、パイプ（１）の周方向の荷重に対する取付け片（２０）の接合強度を増大できる。
【０１３２】
また、補強リング（１０）の外周面における、各嵌合凹部（１１）とは反対側の部分に、径方向外側に膨出した膨出部（１２）が形成されているので、補強リング（１０）の嵌合凹部（１１）の位置における強度を向上させることができる。
【０１３３】
また、取付け片（２０）の基板部（２１）の係止爪（２２）が補強リング（１０）の側縁部に係止されているので、取付け片（２０）の基板部（２１）がパイプ（１）と補強リング（１０）との間から抜出する不具合を確実に防止できる。
【０１３４】
而して、上記第１実施形態の取付け片付パイプ（Ｐ１）は、図８に示すように、パイプ（１）に接合する取付け片（２０）の個数を、必要に応じて任意に変更することができる。図８では、パイプ（１）に接合する取付け片（２０）の個数が４個の場合を例に挙げて示している。ただし本発明では、パイプ（１）に接合する取付け片（２０）の個数は４個であることに限定されるものではなく、その他に、例えば、１個であっても良いし、２個、３個、５個、６個又は７個であっても良い。
【０１３５】
図８に示した取付け片付パイプ（Ｐ１）では、４個の取付け片（２０）の基板部（２１）が、補強リング（１０）の８個の嵌合凹部（１１）のうち４個の嵌合凹部（１１）を残してその他の４個の嵌合凹部（１１）内にそれぞれ１個ずつ嵌合されるとともに、この状態で、パイプ（１）の周壁部（２ａ）がエキスパンド加工されることにより、４個の取付け片（２０）の基板部（２１）がパイプ（１）と補強リング（１０）との間に挟着され、これにより、４個の取付け片（２０）がパイプ（１）に接合されている。
【０１３６】
さらに、パイプ（１）の周壁部（２ａ）がエキスパンド加工されることによって、パイプ（１）の周壁部（２ａ）が残った各嵌合凹部（１１）（即ち、取付け片（２０）の基板部（２１）が嵌合されていない嵌合凹部）内に膨出しており、これにより、パイプ（１）の周壁部（２ａ）が残った各嵌合凹部（１１）と周方向に係合している。この残った嵌合凹部（１１）は、パイプ（１）の周壁部（２ａ）が周方向に係合する第１係合凹部（１４）に対応している。さらに、パイプ（１）の周壁部（２ａ）が取付け片（２０）の基板部（２１）のはみ出し部（２１ａ）と周方向に係合している。
【０１３７】
この取付け片付パイプ（Ｐ１）の他の構成は、上記第１実施形態のものと同じである。
【０１３８】
この取付け片付パイプ（Ｐ１）では、取付け片（２０）の基板部（２１）が、８個の嵌合凹部（１１）のうち４個の嵌合凹部（１１）を残してその他の４個の嵌合凹部（１１）内に嵌合された状態でパイプ（１）と補強リング（１０）との間に挟着されているので、パイプ（１）の周方向における取付け片（２０）の位置ずれを確実に防止できることはもとより、その上、パイプ（１）の周壁部（２ａ）が残った嵌合凹部（１１）（即ち第１係合凹部（１４））と周方向に係合しているので、パイプ（１）の周方向の荷重に対する補強リング（１０）の接合強度を増大できる。
【０１３９】
このように、この取付け片付パイプ（Ｐ１）では、補強リング（１０）の８個の嵌合凹部（１１）のなかから、所望する位置の嵌合凹部（１１）を任意に選択することができるし、補強リング（１０）の共通化を図ることができる。
【０１４０】
而して、上記第１実施形態の取付け片付パイプ（Ｐ１）では、補強リング（１０）の嵌合凹部（１１）の底面は上述したように曲面に形成されているが（図３参照）、本発明では、図９に示すように嵌合凹部（１１）の底面は平坦状に形成されていても良いし、その他の形状に形成されていても良い。また本発明では、膨出部（１２）の外面は平坦状に形成されていても良いし、その他の形状に形成されていても良い。
【０１４１】
次に、本発明の他の幾つかの実施形態に係る取付け片付パイプについて、図１０〜図２９に基づいて以下に説明する。なお、これらの図には、第１実施形態の取付け片付パイプ（Ｐ１）の要素と同一の要素には同一の符号が付されている。
【０１４２】
図１０及び図１１は、本発明の第２実施形態に係る取付け片付パイプ（Ｐ２）を説明する図である。
【０１４３】
この取付け片付パイプ（Ｐ２）では、補強リング（１０）の嵌合凹部（１１）の深さｄは、取付け片（２０）の基板部（２１）の肉厚ｔと同じに設定されている（即ち、ｄ＝ｔ）。そして、取付け片（２０）の基板部（２１）がこの嵌合凹部（１１）内に嵌合されている。したがって、この取付け片付パイプ（Ｐ２）では、取付け片（２０）の基板部（２１）のはみ出し部は存在していない。そのため、取付け片（２０）がパイプ（１）に接合された状態のもとで、パイプ（１）の周壁部（２ａ）は取付け片（２０）の基板部（２１）と周方向には係合していない。
【０１４４】
この取付け片付パイプ（Ｐ２）の他の構成は、上記第１実施形態のもの（Ｐ１）と同じである。
【０１４５】
図１２及び図１３は、本発明の第３実施形態に係る取付け片付パイプ（Ｐ３）を説明する図である。
【０１４６】
この取付け片付パイプ（Ｐ３）では、補強リング（１０）の嵌合凹部（１１）の深さｄは、取付け片（２０）の基板部（２１）の肉厚ｔよりも大きく設定されている（即ち、ｄ＞ｔ）。そして、取付け片（２０）の基板部（２１）が補強リング（１０）の内周面に対して窪んだ状態にこの嵌合凹部（１１）内に嵌合されている。すなわち、取付け片（２０）の基板部（２１）が嵌合凹部（１１）内に嵌合された状態において、補強リング（１０）の内周面における嵌合凹部（１１）の位置には、嵌合凹部（１１）の深さｄと取付け片（２０）の基板部（２１）の肉厚ｔとの差（即ち、ｄ−ｔ）に対応した窪み部（１３）が形成されている。そして、パイプ（１）の周壁部（２ａ）がエキスパンド加工されることによって、パイプ（１）の周壁部（２ａ）がこの窪み部（１３）内に膨出しており、これにより、パイプ（１）の周壁部（２ａ）が窪み部（１３）と周方向に係合している。
【０１４７】
この取付け片付パイプ（Ｐ３）の他の構成は、上記第１実施形態のもの（Ｐ１）と同じである。
【０１４８】
この取付け片付パイプ（Ｐ３）では、パイプ（１）の周壁部（２ａ）が補強リング（１０）の内周面の窪み部（１３）と周方向に係合しているので、パイプ（１）の周方向の荷重に対する補強リング（１０）の接合強度を増大できる。
【０１４９】
図１４及び図１５は、本発明の第４実施形態に係る取付け片付パイプ（Ｐ４）を説明する図である。
【０１５０】
この取付け片付パイプ（Ｐ４）では、補強リング（１０）の内周面に嵌合凹部は設けられていない。また、補強リング（１０）の外周面に膨出部は設けられていない。
【０１５１】
この取付け片付パイプ（Ｐ４）の他の構成は、上記第１実施形態のもの（Ｐ１）と同じである。
【０１５２】
図１６は、本発明の第５実施形態に係る取付け片付パイプ（Ｐ５）を説明する図である。
【０１５３】
この取付け片付パイプ（Ｐ５）では、補強リング（１０）の嵌合凹部（１１）の深さｄは、上記第２実施形態のもの（Ｐ２）（図１０及び図１１参照）と同様に、取付け片（２０）の基板部（２１）の肉厚ｔと同じに設定されている（即ち、ｄ＝ｔ）。そして、取付け片（２０）の基板部（２１）がこの嵌合凹部（１１）内に嵌合されている。したがって、この取付け片付パイプ（Ｐ５）では、取付け片（２０）の基板部（２１）のはみ出し部は存在していない。そのため、パイプ（１）の周壁部（２ａ）は、取付け片（２０）の基板部（２１）と周方向には係合していない。また、補強リング（１０）の外周面における、嵌合凹部（１１）とは反対側の部分には、膨出部は設けられていない。
【０１５４】
さらに、補強リング（１０）の内周面には、複数個（本実施形態では８個）の軸方向に延びる第１係合凸部（１５）が周方向に等間隔に並んで一体形成されている。補強リング（１０）の内周面における各第１係合凸部（１５）の位置は、互いに隣り合う２個の嵌合凹部（１１）（１１）の間の位置である。そして、パイプ（１）の周壁部（２ａ）が第１係合凸部（１５）と周方向に係合している。第１係合凸部（１５）の突出高さは例えば１〜５ｍｍの範囲に設定されている。ただし本発明では、第１係合凸部（１５）の突出高さは上記の範囲であることに限定されるものではない。
【０１５５】
この取付け片付パイプ（Ｐ５）の他の構成は、上記第１実施形態のもの（Ｐ１）と同じである。
【０１５６】
この取付け片付パイプ（Ｐ５）では、パイプ（１）の周壁部（２ａ）が補強リング（１０）の内周面の第１係合凸部（１５）と周方向に係合しているので、パイプ（１）の周方向の荷重に対する補強リング（１０）の接合強度を増大できる。
【０１５７】
なお本発明では、補強リング（１０）の内周面に、第１係合凸部（１５）の代わりに第１係合凹部（１４）（図８参照）が設けられていても良い。この場合、パイプ（１）の周壁部（２ａ）は第１係合凹部（１４）と周方向に係合することとなる。また、補強リング（１０）の内周面に、第１係合凸部（１５）と第１係合凹部（１４）とが設けられていても良い。
【０１５８】
図１７は、本発明の第６実施形態に係る取付け片付パイプ（Ｐ６）を説明する図である。
【０１５９】
この取付け片付パイプ（Ｐ６）では、補強リング（１０）の内周面の軸方向中間部に、周方向に延びた断面略円弧状の第２係合凹部（１６）が設けられている。この第２係合凹部（１６）は、取付け片（２０）の基板部（２１）とパイプ（１）の周壁部（２ａ）とが軸方向に係合するものであり、補強リング（１６）の内周面に全周に亘って延びて設けられている。第２係合凹部（１６）の深さは例えば２〜５ｍｍの範囲に設定されている。ただし本発明では、第２係合凹部（１６）の深さは上記の範囲であることに限定されるものではない。
【０１６０】
この取付け片付パイプ（Ｐ６）の製造方法は次のとおりである。すなわち、補強リング（１０）内にパイプ（１）を挿通し且つ取付け片（２０）の基板部（２１）をパイプ（１）と補強リング（１０）との間に配置する。次いで、この状態で、パイプ（１）の補強リング（１）内への挿通部分の周壁部（２ａ）と該挿通部分の軸方向両側近傍部分の周壁部（２ｂ）（２ｂ）とを、エキスパンド加工予定部（２）として、エキスパンド加工する。これにより、補強リング（１０）がパイプ（１）に接合されるとともに、取付け片（２０）の基板部（２１）がパイプ（１）と補強リング（１０）との間に挟着されることにより、取付け片（２０）がパイプ（１）に接合される。さらに、エキスパンド加工によって、取付け片（２０）の基板部（２１）とパイプ（１）の周壁部（２ａ）とが第２係合凹部（１６）内に膨出し、これにより、取付け片（２０）の基板部（２１）とパイプ（１）の周壁部（２ａ）とが互いに重合状態で第２係合凹部（１６）と軸方向に係合する。
【０１６１】
この取付け片付パイプ（Ｐ６）の他の構成は、上記第１実施形態のもの（Ｐ１）と同じである。
【０１６２】
この取付け片付パイプ（Ｐ６）では、取付け片（２０）の基板部（２１）が補強リング（１０）の第２係合凹部（１６）と軸方向に係合しているので、取付け片（２０）の基板部（２１）がパイプ（１）と補強リング（１０）との間から抜出する不具合を確実に防止できる。
【０１６３】
さらに、取付け片（２０）の基板部（２１）とパイプ（１）の周壁部（２ａ）が第２係合凹部（１６）と軸方向に係合しているので、パイプ（１）の軸方向の荷重に対する取付け片（２０）の接合強度と補強リング（１０）の接合強度とを共に増大できる。
【０１６４】
図１８は、本発明の第７実施形態に係る取付け片付パイプ（Ｐ７）を説明する図である。
【０１６５】
この取付け片付パイプ（Ｐ７）は、パイプ（１）の補強リング（１０）内への挿通部分の周壁部（２ａ）だけがエキスパンド加工されていること以外は、図１７に示した上記第６実施形態のもの（Ｐ６）と同じ構成である。
【０１６６】
図１９は、本発明の第８実施形態に係る取付け片付パイプ（Ｐ８）を説明する図である。
【０１６７】
この取付け片付パイプ（Ｐ８）では、取付け片（２０）に、該取付け片（２０）が軸方向の一方側に倒れないように該取付け片（２０）を支持する支持板部（２３）が、パイプ（１）の軸方向の一方側に突出して一体形成されている。そして、取付け片（２０）がパイプ（１）に接合された状態のもとで、この支持板部（２３）の側縁部がパイプ（１）の外周面に当接している。そのため、取付け片（２０）はこの支持板部（２３）によって支持されおり、取付け片（２０）のパイプ（１）軸方向への倒れが阻止されている。
【０１６８】
この取付け片付パイプ（Ｐ８）の他の構成は、図１８に示した上記第７実施形態のもの（Ｐ７）と同じである。
【０１６９】
図２０は、本発明の第９実施形態に係る取付け片付パイプ（Ｐ９）を説明する図である。
【０１７０】
この取付け片付パイプ（Ｐ９）では、補強リング（１０）の内周面の軸方向中間部に、周方向に延びた断面略山形状の第２係合凸部（１７）が設けられている。この第２係合凸部（１７）は、取付け片（２０）の基板部（２１）とパイプ（１）の周壁部（２ａ）とが軸方向に係合するものであり、補強リング（１０）の内周面に全周に亘って延びて設けられている。第２係合凸部（１７）の高さは例えば２〜５ｍｍの範囲に設定されている。ただし本発明では、第２係合凸部（１７）の高さは上記の範囲であることに限定されるものではない。
【０１７１】
この取付け片付パイプ（Ｐ９）では、取付け片（２０）の基板部（２１）とパイプ（１）の周壁部（２ａ）とが互いに重合状態で第２係合凸部（１７）と軸方向に係合している。なお、同図において、一点鎖線は、エキスパンド加工前のパイプ（１）の周壁部を表している。
【０１７２】
この取付け片付パイプ（Ｐ９）では、取付け片（２０）の基板部（２１）が補強リング（１０）の第２係合凸部（１７）と軸方向に係合しているので、取付け片（２０）の基板部（２１）がパイプ（１）と補強リング（１０）との間から抜出する不具合を確実に防止できる。
【０１７３】
さらに、取付け片（２０）の基板部（２１）とパイプ（１）の周壁部（２ａ）が第２係合凸部（１７）と軸方向に係合しているので、パイプ（１）の軸方向の荷重に対する取付け片（２０）の接合強度と補強リング（１０）の接合強度とを共に増大できる。
【０１７４】
図２１は、本発明の第１０実施形態に係る取付け片付パイプ（Ｐ１０）を説明する図である。
【０１７５】
この取付け片付パイプ（Ｐ１０）では、パイプ（１）の外周面の断面形状は多角形状であり、詳述すると略四角形状である。補強リング（１０）の内周面の断面形状は、パイプ（１）の外周面の断面形状に対応した多角形状であり、詳述すると略四角形状である。また、補強リング（１０）の外周面の断面形状は円形状である。
【０１７６】
また、補強リング（１０）の内周面には嵌合凹部は設けられていない。また、８個の取付け片（２０）のうち４個の取付け片（２０）の長さと残りの４個の取付け片（２０）の長さは互いに異なっている。
【０１７７】
この取付け片付パイプ（Ｐ１）の他の構成は、上記第１実施形態のもの（Ｐ１）と同じである。
【０１７８】
この取付け片付パイプ（Ｐ１）では、パイプ（１）の外周面の断面形状が四角形状であり、補強リング（１０）の内周面の断面形状がパイプ（１）の外周面の断面形状に対応した四角形状であるから、補強リング（１０）がパイプ（１）の周方向に回転する不具合を確実に防止できる。
【０１７９】
図２２は、本発明の第１１実施形態に係る取付け片付パイプ（Ｐ１１）を説明する図である。
【０１８０】
この取付け片付パイプ（Ｐ１１）は、補強リング（１０）の外周面の断面形状が略四角形状であること以外は、図２１に示した上記第１０実施形態のもの（Ｐ１０）と同じ構成である。
【０１８１】
図２３は、本発明の第１２実施形態に係る取付け片付パイプ（Ｐ１２）を説明する図である。
【０１８２】
この取付け片付パイプ（Ｐ１２）では、パイプ（１）は押出材からなり、更に、パイプ（１）の中空部を縦に仕切る、軸方向に延びた仕切り壁部（３）がパイプ（１）に一体形成されている。また、このパイプ（１）の外周面の断面形状は略四角形状である。補強リング（１０）の内周面の断面形状は、パイプ（１）の外周面の断面形状に対応した多角形状であり、詳述すると略四角形状である。また、補強リング（１０）の外周面の断面形状は円形状である。
【０１８３】
また、補強リング（１０）の内周面には６個の嵌合凹部（１１）が設けられている。この嵌合凹部（１１）の深さｄは、取付け片（２０）の基板部（２１）の肉厚ｔよりも小さく設定されている（即ち、ｄ＜ｔ）。そして、取付け片（２０）の基板部（２１）が補強リング（１０）の内周面よりも内側にはみ出した状態に各嵌合凹部（１１）内に嵌合されている。
【０１８４】
この取付け片付パイプ（Ｐ１２）の他の構成は、上記第１実施形態のもの（Ｐ１）と同じである。
【０１８５】
この取付け片付パイプ（Ｐ１２）では、パイプ（１）が仕切り壁部（３）によって補強されるため、取付け片付パイプ（Ｐ１２）の剛性を向上させることができる。
【０１８６】
なお本発明では、パイプ（１）の外周面の断面形状は円形状や四角形状であることに限定されるものではなく、その他に、例えば、三角形状、五角形状、六角形状等の多角形状であっても良いし、楕円形状であっても良い。
【０１８７】
また本発明では、補強リング（１０）の外周面の断面形状は円形状や四角形状であることに限定されるものではなく、その他に、例えば、三角形状、五角形状、六角形状等の多角形状であっても良いし、楕円形状であっても良い。
【０１８８】
図２４及び図２５は、本発明の第１３実施形態に係る取付け片付パイプ（Ｐ１３）を説明する図である。
【０１８９】
この取付け片付パイプ（Ｐ１３）では、取付け片（２０）は、図２４に示すように、平面視略三角形状のものであり、取付け片（２０）の基端部から先端部に進む方向（即ち突出方向）において取付け片（２０）の幅が漸次狭くなるように形成されている。さらに、図２５に示すように、この取付け片（２０）の基端部には、該取付け片（２０）に対して略直角（直角）をなして屈曲した基板部（２１）が一体形成されている。さらに、この基板部（２１）のパイプ（１）との当接面（２１ｂ）の幅方向中間部には、パイプ（１）の軸方向に延びた第３係合凸部（２５）が一体形成されている。この第３係合凸部（２５）は、パイプ（１）の周壁部（２ａ）が周方向に係合するものである。この取付け片（２０）はダイカストにより製作されたものである。第３係合凸部（２５）の高さは例えば１〜５ｍｍの範囲に設定されている。ただし本発明では、第３係合凸部（２５）の高さは上記の範囲であることに限定されるものではない。
【０１９０】
また、図２４に示すように、補強リング（１０）の内周面には、２個の嵌合凹部（１１）が設けられている。この嵌合凹部（１１）の深さｄは、取付け片（２０）の基板部（２１）の肉厚ｔと同じに設定されている（即ち、ｄ＝ｔ）。そして、取付け片（２０）の基板部（２１）がこの各嵌合凹部（１１）内に嵌合されている。したがって、この嵌合状態において、取付け片（２０）の基板部（２１）の第３係合凸部（２５）は補強リング（１０）の内周面よりも内側に突出している。そして、パイプ（１）の周壁部（２ａ）がエキスパンド加工されることによって、パイプ（１）の周壁部（２ａ）が第３係合凸部（２５）と周方向に係合している。なお、補強リング（１０）の外周面における、嵌合凹部（１１）とは反対側の部分には、膨出部は設けられていない。
【０１９１】
この取付け片付パイプ（Ｐ１３）の他の構成は、上記第１実施形態のもの（Ｐ１）と同じである。
【０１９２】
この取付け片付パイプ（Ｐ１３）では、パイプ（１）の周壁部（２ａ）が取付け片（２０）の基板部（２１）の第３係合凸部（２５）と周方向に係合しているので、パイプ（１）の周方向の荷重に対する取付け片（２０）の接合強度を増大できる。
【０１９３】
なお本発明では、第３係合凸部（２５）は、パイプ（１）の周壁部（２ａ）が軸方向に係合するものであっても良い。この場合、第３係合凸部（２５）は、取付け片（２０）の基板部（２１）のパイプ（１）との当接面（２１ａ）に幅方向（即ちパイプ（１）の周方向）に延びて設けられる。これにより、パイプ（１）の軸方向の荷重に対する取付け片（２０）の接合強度を増大できる。また本発明では、第３係合凸部（２５）は、パイプ（１）の周壁部（２ａ）が周方向と軸方向との両方向に係合するものであっても良い。
【０１９４】
図２６及び図２７は、本発明の第１４実施形態に係る取付け片付パイプ（Ｐ１４）を説明する図である。
【０１９５】
この取付け片付パイプ（Ｐ１）では、取付け片（２０）は、図２７に示すように、基本的には上記第１３実施形態の取付け片付パイプ（Ｐ１３）の取付け片と同じ構成であるが、第３係合凸部（２５）の代わりに２個の第３係合凹部（２６）が、取付け片（２０）の基板部（２１）のパイプ（１）との当接面（２１ｂ）に設けられている。この第３係合凹部（２６）は、取付け片（２０）の基板部（２１）の所定部位が局部的に切り欠かれることによって形成されたものである。この第３係合凹部（２６）は、パイプ（１）の軸方向に延びたものであり、パイプ（１）の周壁部（２ａ）が周方向に係合するものである。また、この取付け片（２０）はプレス成形により製作されたものである。第３係合凹部（２６）の当接面（２１ｂ）からの深さは例えば１〜５ｍｍの範囲に設定されている。ただし本発明では、第３係合凹部（２６）の深さは上記の範囲であることに限定されるものではない。
【０１９６】
また、図２６に示すように、補強リング（１０）の内周面には、２個の嵌合凹部（１１）が設けられている。この嵌合凹部（１１）の深さｄは、取付け片（２０）の基板部（２１）の肉厚ｔと同じに設定されている（即ち、ｄ＝ｔ）。そして、取付け片（２０）の基板部（２１）がこの各嵌合凹部（１１）内に嵌合されている。したがって、この嵌合状態において、取付け片（２０）の基板部（２１）の第３係合凹部（２６）は補強リング（１０）の内周面に対して凹んでいる。そして、パイプ（１）の周壁部（２ａ）がエキスパンド加工されることによって、パイプ（１）の周壁部（２ａ）が第３係合凹部（２６）と周方向に係合している。なお、補強リング（１０）の外周面における、嵌合凹部（１１）とは反対側の部分には、膨出部は設けられていない。
【０１９７】
この取付け片付パイプ（Ｐ１４）の他の構成は、上記第１実施形態のもの（Ｐ１）と同じである。
【０１９８】
この取付け片付パイプ（Ｐ１４）では、パイプ（１）の周壁部（２ａ）が取付け片（２０）の基板部（２１）の第３係合凹部（２６）と周方向に係合しているので、パイプ（１）の周方向の荷重に対する取付け片（２０）の接合強度を増大できる。
【０１９９】
なお本発明では、第３係合凹部（２６）は、パイプ（１）の周壁部（２ａ）が軸方向に係合するものであっても良い。この場合、第３係合凹部（２６）は、取付け片（２０）の基板部（２１）のパイプ（１）との当接面（２１ａ）に幅方向（即ちパイプ（１）の周方向）に延びて設けられる。これにより、パイプ（１）の軸方向の荷重に対する取付け片（２０）の接合強度を増大できる。また本発明では、第３係合凹部（２６）は、パイプ（１）の周壁部（２ａ）が周方向及び軸方向との両方向に係合するものであっても良い。
【０２００】
本発明では、取付け片（２０）は上記実施形態で示したものであることに限定されるものではなく、その他に、例えば、図２８及び図２９に示したものであっても良い。
【０２０１】
図２８に示した取付け片（２０）には、その突出方向に延びた補強部としての補強ビード（２４）が形成されている。
【０２０２】
この取付け片（２０）では、補強ビード（２４）によって取付け片（２０）の剛性が高められている。
【０２０３】
なお本発明では、取付け片（２０）には、補強部として、補強ビード（２４）の代わりに補強リブが設けられていても良いし、補強ビード（２４）と補強リブとが設けられていても良いし、その他の補強部が設けられていても良い。
【０２０４】
図２９に示した取付け片（２０）は、その突出方向において例えば９０°捻れた状態に形成されている。したがって、取付け片（２０）の先端部の取付け孔（２０ａ）（例：ボルト挿通孔）は、パイプ（１）の軸に平行な方向ではなく、パイプ（１）の軸に直交する方向に向けられている。
【０２０５】
この取付け片（２０）では、取付け片（２０）の向き、詳述すると取付け片（２０）の先端部の取付け孔（２０ａ）の向きを、該取付け片（２０）が取り付けられる他の部材に対応させて変更することができる。
【０２０６】
以上で本発明の幾つかの実施形態を説明したが、本発明は上記実施形態に示したものに限定されるものではなく、様々に設定変更可能である。
【０２０７】
例えば、本発明の取付け片付パイプの構造は、上記第１〜第１４実施形態の取付け片付パイプ（Ｐ１〜Ｐ１４）の構造のうち２つ以上を組み合わせた構造であっても良い。
【０２０８】
また、本発明の取付け片付パイプは、例えば、図６、図２５、図２７、図２８及び図２９に示した取付け片（１０）のうち２種以上が混在してパイプ（１）に接合されていても良い。
【産業上の利用可能性】
【０２０９】
本発明は、例えば、自動車のステアリングサポートビーム、ステアリングコラムホルダ、マフラ、その他の自動車の部品、あるいは自動車以外の製品として例えば配管材に用いられる取付け片付パイプ及びその製造方法に利用可能である。
【図面の簡単な説明】
【０２１０】
【図１】本発明の第１実施形態の取付け片付パイプの斜視図である。
【図２】同取付け片付パイプの横断面図である。
【図３】図２中のＺ部分の拡大図である。
【図４】図２中のＸ−Ｘ線断面図である。
【図５】図２中のＹ−Ｙ線断面図である。
【図６】同取付け片付パイプの取付け片の斜視図である。
【図７】パイプの周壁部をエキスパンド加工する途中の状態の縦断面図である。
【図８】同取付け片付パイプにおいて取付け片の個数を変更した場合の横断面図である。
【図９】補強リングの嵌合凹部の底面の形状を変更した場合の横断面図である。
【図１０】本発明の第２実施形態の取付け片付パイプの横断面図である。
【図１１】図１０中のＺ部分の拡大図である。
【図１２】本発明の第３実施形態の取付け片付パイプの横断面図である。
【図１３】図１２中のＺ部分の拡大図である。
【図１４】本発明の第４実施形態の取付け片付パイプの横断面図である。
【図１５】図１４中のＺ部分の拡大図である。
【図１６】本発明の第５実施形態の取付け片付パイプの横断面図である。
【図１７】本発明の第６実施形態の取付け片付パイプの縦断面図である。
【図１８】本発明の第７実施形態の取付け片付パイプの縦断面図である。
【図１９】本発明の第８実施形態の取付け片付パイプの縦断面図である。
【図２０】本発明の第９実施形態の取付け片付パイプの縦断面図である。
【図２１】本発明の第１０実施形態の取付け片付パイプの縦断面図である。
【図２２】本発明の第１１実施形態の取付け片付パイプの縦断面図である。
【図２３】本発明の第１２実施形態の取付け片付パイプの縦断面図である。
【図２４】本発明の第１３実施形態の取付け片付パイプの横断面図である。
【図２５】同取付け片付パイプの取付け片の斜視図である。
【図２６】本発明の第１４実施形態の取付け片付パイプの横断面図である。
【図２７】同取付け片付パイプの取付け片の斜視図である。
【図２８】取付け片の一変形例を示す一部切欠き斜視図である。
【図２９】取付け片のもう一つの変形例を示す斜視図である。
【符号の説明】
【０２１１】
Ｐ１〜Ｐ１４…取付け片付パイプ
１…パイプ（パイプ本体）
２…エキスパンド加工予定部
２ａ、２ｂ…周壁部
３…仕切り壁部
１０…補強リング
１１…嵌合凹部
１２…膨出部
１３…窪み部
１４…第１係合凹部
１５…第１係合凸部
１６…第２係合凹部
１７…第２係合凸部
２０…取付け片
２０ａ…取付け孔
２１…基板部
２１ａ…はみ出し部
２１ｂ…当接面
２２…係止爪
２３…支持板部
２４…補強ビード（補強部）
２５…第３係合凸部
２６…第３係合凹部
【図１】
0004813936.tif 000002
【図２】
0004813936.tif 000003
【図３】
0004813936.tif 000004
【図４】
0004813936.tif 000005
【図５】
0004813936.tif 000006
【図６】
0004813936.tif 000007
【図７】
0004813936.tif 000008
【図８】
0004813936.tif 000009
【図９】
0004813936.tif 000010
【図１０】
0004813936.tif 000011
【図１１】
0004813936.tif 000012
【図１２】
0004813936.tif 000013
【図１３】
0004813936.tif 000014
【図１４】
0004813936.tif 000015
【図１５】
0004813936.tif 000016
【図１６】
0004813936.tif 000017
【図１７】
0004813936.tif 000018
【図１８】
0004813936.tif 000019
【図１９】
0004813936.tif 000020
【図２０】
0004813936.tif 000021
【図２１】
0004813936.tif 000022
【図２２】
0004813936.tif 000023
【図２３】
0004813936.tif 000024
【図２４】
0004813936.tif 000025
【図２５】
0004813936.tif 000026
【図２６】
0004813936.tif 000027
【図２７】
0004813936.tif 000028
【図２８】
0004813936.tif 000029
【図２９】
0004813936.tif 000030